(57)【要約】【課題】構造が簡単で、組み付け作業が容易な間仕切パネル、および、一人でも簡単に組立て作業ができる、簡単な間仕切パネルの製造方法を提供する。【解決手段】裏面両側部に複数の係止孔２７を設けた化粧パネル１４を、裏面を上方に向けて支持体上に支持し、その上に、矩形枠状のフレーム１３を載置するとともに、両側縁にフック１５を備える係止部材１６を、フレームの内側面に沿うようにして、かつ一側縁に設けたフック１５を化粧パネルの係止孔２７に嵌合させて載置し、さらにその上に、別の化粧パネル１４を、その裏面に設けた係止孔２７が係止部材１６の他方の側縁のフック１５に嵌合するようにして、フレーム１３上に載置し、次いで、係止部材１６を移動させて、各フック１５を対応する各係止孔２７の縁に係止させた後、係止部材１６をフレーム１３に固着する。【選択図】      図４
2009013620.tif 000002
【特許請求の範囲】
【請求項１】
左右１対の縦杆の各端部同士を、横杆をもって互いに連結し、かつ各縦杆の外側端面に、ねじ挿通孔と長手方向を向く長孔とを設けてなる矩形枠状のフレームと、
裏面両側部に複数の係止孔が設けられ、かつ前記フレームの両側面に配設された１対の化粧パネルと、
前記フレームの両縦杆の内側面に沿って配設され、両側縁に、前記両化粧パネルの係止孔に係合するフックを有するとともに、前記フレームの縦杆に設けられた長孔を挿通する移動操作用のボルトが螺合しうるねじ孔と、前記フレームの縦杆に設けられたねじ挿通孔を挿通する固定ねじが螺合するねじ孔とが設けられた係止部材とを備え、
前記係止部材の各フックを、対応する両化粧パネルの係合孔の縁に係合させるとともに、前記係止部材を、固定ねじをもって縦杆にねじ止めしたことを特徴とする間仕切パネル。
【請求項２】
フレームの上下いずれかの端部に、フックに係合している係止孔の縁がフックから外れる方向への化粧パネルの移動を阻止する外向き突片を設けたことを特徴とする請求項１記載の間仕切パネル。
【請求項３】
裏面両側部に複数の係止孔が設けられた化粧パネルを、裏面を上方に向けて水平として支持体上に支持し、その上方に、側端面にねじ挿通孔と長手方向を向く長孔とが設けられた１対の縦杆の各端部同士を、横杆をもって互いに連結してなる矩形枠状のフレームを、水平として載置し、次いで、両側縁にフックを有するとともに、前記フレームの縦杆に設けられた長孔を挿通する移動操作用のボルトが螺合しうるねじ孔と、前記フレームの縦杆に設けられたねじ挿通孔を挿通する固定ねじが螺合しうるねじ孔とが設けられた係止部材を、一方の側縁のフックが、前記化粧パネルの係止孔に嵌合し、かつ外側面が前記フレームの両縦杆の内側面に沿うようにして、前記化粧パネルの裏面上に載置し、次いで、前記化粧パネルと同形の別の化粧パネルを、その裏面を下にして、かつ各係止孔が前記係止部材の他方の側縁のフックに嵌合するようにして、前記フレーム上に水平に載置し、その後またはそれ以前に、各係止部材のボルト螺合用のねじ孔に、前記縦杆の長孔を通した移動操作用のボルトの先端部を螺合し、前記ボルトを前記長孔に沿って、前記各フックの先端が向く方向に移動させることにより、前記各フックを対応する各係止孔の縁に係止させ、その後、前記縦杆のねじ挿通孔に挿通した固定ねじを、前記係止部材の固定ねじ用のねじ孔に螺合して、係止部材を縦杆に固着することを特徴とする間仕切パネルの製造方法。
【請求項４】
各フックの先端が向く方向にあるフレームの端部に、外向きの１対の突片を設け、この両突片を、両化粧パネルの端面に当接させて、各化粧パネルとフレームとの位置決めを図ることを特徴とする請求項３記載の間仕切パネルの製造方法。
【発明の詳細な説明】
【技術分野】
【０００１】
本発明は、オフィス等の室内を仕切る間仕切パネル、およびその製造方法に関する。
【背景技術】
【０００２】
従来、据付式の間仕切パネルにおいては、フレームを現地で組み立て、その後、フレームの両側面に、化粧パネルを装着して、完成させることが多い。
【０００３】
また、天井に設けたレールに沿って移動するランナに、間仕切パネルを吊支し、間仕切パネルを、レールに沿って移動しうるようにした移動間仕切装置における間仕切パネルは、フレームをランナに吊支した状態で、フレームに化粧パネルを装着することが困難であり、しかも間仕切パネルの縁部に、天井や床との隙間を閉塞する閉塞手段や、アルミニュウム合金製の縁材を装着する等の作業が煩雑であるため、予め工場において組み立てておくことが多い(例えば特許文献１参照)。
【特許文献１】特開２００２−１７４０６８号公報
【発明の開示】
【発明が解決しようとする課題】
【０００４】
しかし、近年、移動間仕切の間仕切パネルと据付式の間仕切パネルとのデザインの統一を図るとともに、移動間仕切の間仕切パネルを工場や現地において、一人でも簡単かつ迅速に組み立てることが要望されるようになってきており、従来の移動間仕切の間仕切パネルの構造では、上述したように、組み付け作業が煩雑過ぎて、上記の要望を満たすことが実質的に難しい状況である。
【０００５】
本発明は、従来の技術が有する上記のような問題に鑑み、構造が簡単で、組み付け作業が容易な間仕切パネル、および、一人でも簡単に組立て作業ができる、簡単な間仕切パネルの製造方法を提供することを目的としている。
【課題を解決するための手段】
【０００６】
本発明によると、上記課題は次のようにして解決される。
(１)間仕切パネルにおいて、左右１対の縦杆の各端部同士を、横杆をもって互いに連結し、かつ各縦杆の外側端面に、ねじ挿通孔と長手方向を向く長孔とを設けてなる矩形枠状のフレームと、裏面両側部に複数の係止孔が設けられ、かつ前記フレームの両側面に配設された１対の化粧パネルと、前記フレームの両縦杆の内側面に沿って配設され、両側縁に、前記両化粧パネルの係止孔に係合するフックを有するとともに、前記フレームの縦杆に設けられた長孔を挿通する移動操作用のボルトが螺合しうるねじ孔と、前記フレームの縦杆に設けられたねじ挿通孔を挿通する固定ねじが螺合するねじ孔とが設けられた係止部材とを備え、前記係止部材の各フックを、対応する両化粧パネルの係合孔の縁に係合させるとともに、前記係止部材を、固定ねじをもって縦杆にねじ止めする。
【０００７】
(２)上記(１)項において、フレームの上下いずれかの端部に、フックに係合している係止孔の縁がフックから外れる方向への化粧パネルの移動を阻止する外向き突片を設ける。
【０００８】
(３)間仕切パネルの製造方法において、裏面両側部に複数の係止孔が設けられた化粧パネルを、裏面を上方に向けて水平として支持体上に支持し、その上方に、側端面にねじ挿通孔と長手方向を向く長孔とが設けられた１対の縦杆の各端部同士を、横杆をもって互いに連結してなる矩形枠状のフレームを、水平として載置し、次いで、両側縁にフックを有するとともに、前記フレームの縦杆に設けられた長孔を挿通する移動操作用のボルトが螺合しうるねじ孔と、前記フレームの縦杆に設けられたねじ挿通孔を挿通する固定ねじが螺合しうるねじ孔とが設けられた係止部材を、一方の側縁のフックが、前記化粧パネルの係止孔に嵌合し、かつ外側面が前記フレームの両縦杆の内側面に沿うようにして、前記化粧パネルの裏面上に載置し、次いで、前記化粧パネルと同形の別の化粧パネルを、その裏面を下にして、かつ各係止孔が前記係止部材の他方の側縁のフックに嵌合するようにして、前記フレーム上に水平に載置し、その後またはそれ以前に、各係止部材のボルト螺合用のねじ孔に、前記縦杆の長孔を通した移動操作用のボルトの先端部を螺合し、前記ボルトを前記長孔に沿って、前記各フックの先端が向く方向に移動させることにより、前記各フックを対応する各係止孔の縁に係止させ、その後、前記縦杆のねじ挿通孔に挿通した固定ねじを、前記係止部材の固定ねじ用のねじ孔に螺合して、係止部材を縦杆に固着する。
【０００９】
(４)上記(３)項において、各フックの先端が向く方向にあるフレームの端部に、外向きの１対の突片を設け、この両突片を、両化粧パネルの端面に当接させて、各化粧パネルとフレームとの位置決めを図る。
【発明の効果】
【００１０】
本発明によると、次のような効果を奏することができる。
請求項１および３記載の発明によると、背中合わせとした１対の化粧パネルの間に、フレームと１対の係止部材を、各係止部材のフックが、対応する各化粧パネルの係止孔に嵌合するようにして、サンドイッチ状に挟んで、水平に支持した後、縦杆の長孔を通して、各係止部材のボルト螺合用のねじ孔に螺合した移動操作用のボルトを用いて、係止部材を、各フックの先端が向く方向に移動させることにより、各フックを対応する各係止孔の縁に係止させ、その状態で、縦杆のねじ挿通孔に挿通した固定ねじを、係止部材の固定ねじ用のねじ孔に螺合して、係止部材を縦杆に固着することにより、間仕切パネルを、現場等においても、一人でも簡単かつ迅速に組み立てることができる。
なお、間仕切パネルの完成後、係止部材のボルト螺合用のねじ孔に螺合したボルトは、外して、次の間仕切パネルの組立てに再利用することができる。
また、フレームと、１対の化粧パネルと、１対の係止部材とのわずかの部品点数だけで、間仕切パネルを簡単に形成することができ、構造を簡素化することができる。
【００１１】
請求項２および４記載の発明によると、フレームの上下いずれかの端部に、フックに係合している係止孔の縁がフックから外れる方向への化粧パネルの移動を阻止する外向き突片を設けてあるので、化粧パネルは、フレームに、外れることなく、確実に装着される。
【発明を実施するための最良の形態】
【００１２】
以下、本発明の一実施形態を、添付図面を参照して説明する。
図１は、本発明の間仕切パネルの一実施形態を、天井に設けたレールに沿って移動するランナに吊支した状態を示す側面図、図２は、その拡大縦断正面図、図３は、図１のIII−III線に沿う拡大横断平面図である。
【００１３】
本発明の間仕切パネル１は、天井２の下面に固着したレール３に沿って移動するランナ４、４に、１対の吊りボルト５、５をもって吊支されている。
ランナ４は、どのようなタイプのものでもよいが、この例では、吊りボルト５の上端部に、スペーサ６を介して、上下に離して枢支した１対の水平ローラ７、８を備えるものとしてある。
【００１４】
図２に示すように、上段のローラ７は、下端が開口する下向きコ字状としたレール３の内面における中位部の一側より内向き突設したローラ受片３ａ上に、また、下段のローラ８は、レール３の内面における下端部の他側より内向き突設したローラ受片３ｂ上に、それぞれ受支されて、互いに逆方向に回転しつつ、レール３に沿って移動しうるようになっている。
【００１５】
間仕切パネル１は、組立て要領を示す図４(水平に寝かした状態で示してある)に示すように、左右１対の縦杆９、１０の各端部同士を、横杆１１、１２をもって互いに連結してなる矩形枠状のフレーム１３と、フレーム１３の両側面に配設された、構造および形状を互いに同一とした１対の化粧パネル１４、１４と、フレーム１３の両縦杆９、１０の内側面に沿って配設され、両側縁に、両化粧パネル１４、１４を係止する複数のフック１５が設けられた係止部材１６とを備えている。
【００１６】
縦杆９、１０は、アルミニュウム合金の押出材により形成されている。
図３に示すように、縦杆９の外側面には、山形の凸条１７が、また縦杆１０の外側面には、上記凸条１７が嵌合しうるようにした凹条１８がそれぞれ設けられ、さらに、凸条１７の頂部と、凹条１８の底部とには、凹溝１９、１９が設けられている。
【００１７】
各凹溝１９の開口部には、ゴム等の弾性体からなる閉塞部材２０が、着脱自在に装着されている。また、凹条１８の内側面には、ゴム等の弾性体からなる１対のシール部材２１、２１が設けられている。
【００１８】
左右の縦杆９、１０の外側面には、長手方向、すなわち使用状態での上下方向を向く複数の長孔２２と、複数のねじ挿通孔２３とが、上下方向に適宜の間隔をもって設けられている。
【００１９】
上下の横杆１１、１２は、金属板を折曲して形成した角管またはチャンネル材からなり、それらの左右方向の端部には、吊りボルト５、５その他の部材を挿通させるための上下方向の通孔２４、２４が設けられている。
なお、間仕切パネル１には、その上端と天井２との間、およびその下端と床(図示略)との間の間隙を閉塞する閉塞部材、およびそれを移動させる手段、並びに、吊りボルト５、５の下端を連結する手段等が設けられているが、それらは、本発明とは直接関係しないので、図示および詳細な説明は省略してある。
【００２０】
図４に示すように、上方の横杆１１の上端と、下方の横杆１２の下端には、各化粧パネル１４の上端面および下端面に当接するようにした外向きの突片１１ａ、１１ａ、１２ａ、１２ａが設けられている。
【００２１】
化粧パネル１４は、図３および図４に示すように、金属製の化粧板２５における方形とした平板部２５ａの周縁部を、裏面側に内向きコ字状に折り曲げて、折返し縁部２５ｂを形成し、この折返し縁部２５ｂより内側における平板部２５ａの裏面に、石膏ボード２６を固着したものよりなっている。
【００２２】
化粧パネル１４における左右の折返し縁部２５ｂの背面には、係止部材１６の各側縁に設けられた複数のフック１５が係合しうるようにした複数の縦長のスリット状の係止孔２７が設けられている。
【００２３】
左右の係止部材１６、１６は、互いに内向きに開口する平面視コ字状のチャンネル材２８の外側面に、両側縁に同一方向を向く鉤形の複数のフック１５が形成された金属板のフック基片２９をスポット溶接したものよりなり、その長手方向には、フレーム１３の縦杆９、１０に設けられた長孔２２に対応するねじ孔３０と、同じくねじ挿通孔２３に対応するねじ孔３１とが設けられている。
【００２４】
次に、図４〜図６を参照して、この間仕切パネル１の製造時における部品の組立て要領について説明する。
図４に示すように、１枚の化粧パネル１４を、裏面を上方に向けて水平として、床面または支持体(図示略)上に支持し、次いで、その上方より、フレーム１３を、その突片１１ａ、１２ａが化粧パネル１４の使用状態での上端面および下端面に当接して、化粧パネル１４を挟むようにして、水平に載置するとともに、そのフレーム１３における左右の縦杆９、１０の内側面に沿って、１対の係止部材１６、１６を、その一方の縁に設けられた複数のフック１５が、化粧パネル１４における対応する係止孔２７に上方より嵌合するようにして、かつ他方の縁に設けられたフック１５が、水平としたフレーム１３より上方に突出するようにして、水平に載置し、さらにその上方より、別の化粧パネル１４を、裏面を下方に向けて水平として、その係止孔２７が対応する係止部材１６の上方に突出する各フックに嵌合し、かつその化粧パネル１４の使用状態での上端面および下端面が、フレーム１３の突片１１ａ、１２ａに挟まれるようにして載置する。
【００２５】
なお、上方の化粧パネル１４をフレーム１３上に載置する前に、フレーム１３内に、吊りボルト５、５、その下端を連結する手段、閉塞部材、およびそれを移動させる手段等を、必要に応じて予め装着しておく。
【００２６】
こうして、上下２枚の化粧パネル１４、１４間に、フレーム１３と１対の係止部材１６、１６とが、サンドイッチ状に挟まれた状態で、係止部材１６の移動操作用の左右１対のボルト３２、３２の先端部を、フレーム１３における左右の側端面におけるいずれかの長孔２２、２２を通して、左右１対の係止部材１６、１６における左右に対向するいずれかのねじ孔３０、３０に螺合する。この状態を、図５に示してある。
なお、上方の化粧パネル１４を、フレーム１３上に載置する前に、各係止部材１６におけるいずれかのねじ孔３０に、長孔２２を通したボルト３２の先端部を螺合しておいてもよい。
【００２７】
次いで、左右のボルト３２、３２を、把持して、図５に矢印で示すように、長孔２２、２２に沿って、各フック１５の先端が向く方向(図４においては左方)に移動させることにより、左右の係止部材１６、１６を、フレーム１３および上下の化粧パネル１４、１４に対して、図６に矢印で示す方向に移動させ、各フック１５を、対応する各係止孔２７の縁に係止させる。
【００２８】
各フック１５が、対応する各係止孔２７の縁に完全に係止したとき、各係止部材１６のすべてのねじ孔３１が、フレーム１３のねじ挿通孔２３と整合するように、ねじ孔３１とねじ挿通孔２３との位置を予め定めておき、それらが互いに整合した状態で、固定ねじ３３を、ねじ挿通孔２３を通して、ねじ孔３１に螺合して締付け、各係止部材１６をフレーム１３に固着する。
【００２９】
また、フレーム１３における各突片１１ａ、１２ａを、化粧パネル１４の上下の端面に、固定ねじ３４をもって固着する。なお、この固定ねじ３４のねじ止め作業は、下方の化粧パネル１４上にフレーム１３を載置したとき、および、フレーム１３上に、さらに別の化粧パネル１４を載置したときに、その都度行ってもよい。
【００３０】
こうして、固定ねじ３３、３４をもってねじ止めすることにより、フレーム１３に対して、両係止部材１６、１６と、両化粧パネル１４、１４とが強固に固着され、間仕切パネル１が完成する。
間仕切パネル１の完成後、各係止部材１６のねじ孔３０に螺合したボルト３２は、外して、次の間仕切パネルの組立てに再利用することができる。
【００３１】
また、間仕切パネル１の完成後、１対の吊りボルト５、５の端部に設けたランナ４、４を、レール３に装架することにより、間仕切パネル１を、レール３より吊支して、移動させることができる。
【００３２】
以上から明らかなように、本発明の間仕切パネル、およびその製造方法によると、間仕切パネル１を、現場等においても、一人でも簡単かつ迅速に組み立てることができ、また、間仕切パネルの部品点数は少ないため、構造を簡素化することができる。
【００３３】
さらに、フレーム１３の上下いずれかの端部に、フック１５に係合している係止孔２７の縁がフック１５から外れる方向への化粧パネル１４の移動を阻止する外向き突片１２ａを設けてあるので、化粧パネル１４は、フレーム１５に、外れることなく、確実に装着される。
【００３４】
本発明は、上記の実施形態のみに制限されるものではなく、特許請求の範囲を逸脱しない範囲で、変形した態様での実施が可能である。
例えば、上記実施形態においては、各縦杆９、１０に、長孔２２およびねじ挿通孔を、それぞれ複数個ずつ設け、かつ各係止部材１６にも、ねじ孔３０、３１をそれぞれ複数個ずつ設けてあるが、これらは、すべて最低１個ずつ設ければよい。
【００３５】
また、上記実施形態においては、間仕切パネル１を、吊りボルト５、５により吊支したとき、各係止部材１６の各フック１５が、すべて下方を向くようにしてあるが、これらのフック１５を、すべて上方を向くようにし、そのフック１５に、各化粧パネル１４の係止孔２７の上縁が係止されるようにすることにより、各化粧パネル１４を、このフック１５のみによって、フレーム１５に係止し、フレーム１５における上下の突片１１ａ、１２ａを省略して実施することもできる。
【００３６】
さらに、係止孔２７を、係止部材１６の両側面に設け、これに、化粧パネル１４の背面に突設したフック１５を嵌合した後、係止部材１６を、フック１５が係止孔２７の縁に深く噛み合う方向に移動させるようにしてもよい。
【００３７】
上記実施形態は、本発明を、移動間仕切装置における間仕切パネル、およびその製造方法に適用したものであるが、本発明は、据付式の間仕切パネル、およびその製造方法にも適用しうることはいうまでもない。
【図面の簡単な説明】
【００３８】
【図１】本発明の間仕切パネルの一実施形態を、天井に設けたレールに沿って移動するランナに吊支した状態を示す側面図である。
【図２】同じく、左方より見た拡大縦断側面図である。
【図３】図１におけるIII−III線に沿う拡大横断平面図である。
【図４】間仕切パネルの組立て時の状況を示す分解斜視図である。
【図５】同じく、組立て途中の状況を示す斜視図である。
【図６】図５におけるVI−VI線に沿う拡大縦断正面図である。
【符号の説明】
【００３９】
１  間仕切パネル
２  天井
３  レール
３ａ、３ｂ  ローラ受片
４  ランナ
５  吊りボルト
６  スペーサ
７、８  水平ローラ
９、１０  縦杆
１１、１２  横杆
１１ａ、１２ａ  突片
１３  フレーム
１４  化粧パネル
１５  フック
１６  係止部材
１７  凸条
１８  凹条
１９  凹溝
２０  閉塞部材
２１  シール部材
２２  長孔
２３  ねじ挿通孔
２４  通孔
２５  化粧板
２５ａ平板部
２５ｂ折返し縁部
２６  石膏ボード
２７  係止孔
２８  チャンネル材
２９  フック基片
３０、３１  ねじ孔
３２  ボルト
３３、３４  固定ねじ
【図１】
2009013620.tif 000003
【図２】
2009013620.tif 000004
【図３】
2009013620.tif 000005
【図４】
2009013620.tif 000006
【図５】
2009013620.tif 000007
【図６】
2009013620.tif 000008